(57)【要約】  【課題】  例えば洗面化粧台等のような物品を物流に供するのに用いて好適であって、しかも緩衝体の主原料である段ボールの使用量を最小限に抑えるようにし、これによって低コスト化を図るようにした梱包用緩衝装置を提供する。  【解決手段】  上下一対の保持板１５、１９を用意し、これらの保持板１５、１９の両側端の部分を折曲げ線１６、２０のところで直角に折曲げ、これらの折曲げ線１６、２０の内側に上下の緩衝体１８、２２を装着し、これらの緩衝体１８、２２の凹部から成る受け部６０、９０によって洗面化粧台１０の本体１１の上端の両側部および架台１２の下部のコーナをそれぞれ受け、さらに上下からカバー２３、２４を装着し、結束バンド２５によって結束して物流に供する。【選択図】  図１
2006056532.tif 000002
【特許請求の範囲】
【請求項１】
被梱包物の外側部の所定の位置を覆うように取付けられ、かつ側端がほぼ直角に折曲げられる保持板と、
連結部によって部分的に連結された切断線および／または折曲げたときに内側に位置するライナのみが連結された半切り線のところで交互に逆方向に折畳んで組立てられ、前記被梱包物の所定の部位を受ける受け部を有する段ボール製の緩衝体と、
を具備し、前記緩衝体が前記保持板の折曲げ線の内側に保持されることを特徴とする梱包用緩衝装置。
【請求項２】
前記緩衝体の受け部が凹部であって、前記被梱包物の所定の部位を受入れることを特徴とする請求項１に記載の梱包用緩衝装置。
【請求項３】
前記緩衝体の長さが前記保持板の折曲げられる側端の長さとほほ等しいことを特徴とする請求項１に記載の梱包用緩衝装置。
【請求項４】
前記保持板の折曲げ部分の近傍に係合片が連設され、該係合片が前記緩衝体の係合用凹部に係合されることを特徴とする請求項１に記載の梱包用緩衝装置。
【請求項５】
前記係合片は先端側の幅が根元側よりも広くなっており、かつ前記緩衝体の係合用凹部は奥の方が入口側よりも幅が広くなっていることを特徴とする請求項４に記載の梱包用緩衝装置。
【請求項６】
前記保持板の前記折曲げ線に対して前記係合片とは反対側に係止片が連設され、前記係合用凹部に係合された前記係合片の先端部を前記係止片によって係止することを特徴とする請求項４または請求項５に記載の梱包用緩衝装置。
【発明の詳細な説明】
【技術分野】
【０００１】
本発明は梱包用緩衝装置に係り、とくに段ボールを複数の切断線および／または折曲げ線によって交互に逆方向に折畳んで組立てられる段ボール製の緩衝体を用いた梱包用緩衝装置に関する。
【背景技術】
【０００２】
各種の物品を梱包して物流に供する際に、物流段階において外部からの力によって物品が衝撃を受けて破損する可能性がある。そこで従来より各種の物品を物流に供する際には、これらの物品を包装箱に収納している。そして包装箱と物品との間の隙間の部分に発泡スチロール樹脂の緩衝体を配し、外部からの衝撃を上記緩衝体によって吸収し、これによって物品を衝撃から保護するようにしている。
【０００３】
従来のこのような発泡スチロール樹脂を用いた緩衝体は、使用後に廃棄した場合に、自然崩壊性を有していないために、そのままの状態で長期間にわたって残存し、廃棄物公害の原因となる。焼却処分を行なうと、発泡スチロール樹脂の緩衝体が高熱を発して炉を損傷したり、あるいはまた黒煙を発して大気汚染の原因になる。このような環境上の問題から、発泡スチロール樹脂の緩衝体の使用が制限される傾向にある。
【０００４】
そこで自然崩壊性を有する段ボールを用いて緩衝体を組立てることが提案されている。段ボールはセルロースを原料とするものであるために、廃棄してもやがてバクテリヤによって分解されて水と炭酸ガスとになり、環境破壊の原因にはならない。また水で分解して再生することができ、リサイクル可能であることから、資源の有効利用につながる。
【０００５】
そこで本願発明者らは、特開２００１−６３７６号公報、特開２００１−７２１３４号公報、特開２００１−７２１３８号公報等によって、連結部によって部分的に連結された切断線を有する段ボールを切断線のところで交互に逆方向に折曲げて接合して成る緩衝クッションを用いた緩衝装置を提案している。
【０００６】
このような緩衝装置によって物品を完全に包囲しようとすると、大きな緩衝体を必要とするとともに、このような緩衝体を構成する段ボールの使用量が非常に増加する。しかも緩衝効果が不要な部分についても、段ボールを折曲げて積層した緩衝体によって保護することになるために、段ボールの使用が合理的でなくなる問題がある。またこのような緩衝体は、従来の発泡スチロール樹脂の緩衝体に比べてコストが増大する欠点がある。
【特許文献１】特開２００１−６３７６５号公報
【特許文献２】特開２００１−７２１３４号公報
【特許文献３】特開２００１−７２１３８号公報
【発明の開示】
【発明が解決しようとする課題】
【０００７】
本願発明の課題は、段ボールの使用量が少なく、しかも被梱包物を確実に梱包することが可能な梱包用緩衝装置を提供することである。
【０００８】
本願発明の別の課題は、段ボールの使用量が少なく、これによって低コストで提供することができる梱包用緩衝装置を提供することである。
【０００９】
本願発明の別の課題は、段ボール製の緩衝体と板状体とを組合わせて、外装をも兼ねるようにした梱包用緩衝装置を提供することである。
【００１０】
本願発明のさらに別の課題は、用いる段ボール製の緩衝体の数を少なくして梱包の合理化を図るようにした梱包用緩衝装置を提供することである。
【００１１】
本願発明の上記の課題および別の課題は、以下に述べる本願発明の技術思想および実施の形態によって明らかにされる。
【課題を解決するための手段】
【００１２】
本願の主要な発明は、被梱包物の外側部の所定の位置を覆うように取付けられ、かつ側端がほぼ直角に折曲げられる保持板と、
連結部によって部分的に連結された切断線および／または折曲げたときに内側に位置するライナのみが連結された半切り線のところで交互に逆方向に折畳んで組立てられ、前記被梱包物の所定の部位を受ける受け部を有する段ボール製の緩衝体と、
を具備し、前記緩衝体が前記保持板の折曲げ線の内側に保持されることを特徴とする梱包用緩衝装置に関するものである。
【００１３】
ここで前記緩衝体の受け部が凹部であって、前記被梱包物の所定の部位を受入れてよい。また前記緩衝体の長さが前記保持板の折曲げられる側端の長さとほほ等しくてよい。また前記保持板の折曲げ部分の近傍に係合片が連設され、該係合片が前記緩衝体の係合用凹部に係合されてよい。また前記係合片は先端側の幅が根元側よりも広くなっており、かつ前記緩衝体の係合用凹部は奥の方が入口側よりも幅が広くなっていてよい。また前記保持板の前記折曲げ線に対して前記係合片とは反対側に係止片が連設され、前記係合用凹部に係合された前記係合片の先端部を前記係止片によって係止されてよい。
【発明の効果】
【００１４】
本願の主要な発明は、被梱包物の外側部の所定の位置を覆うように取付けられ、かつ側端がほぼ直角に折曲げられる保持板と、連結部によって部分的に連結された切断線および／または折曲げたときに内側に位置するライナのみが連結された半切り線のところで交互に逆方向に折畳んで組立てられ、被梱包物の所定の部位を受ける受け部を有する段ボール製の緩衝体と、を具備し、緩衝体が保持板の折曲げ線の内側に保持されるようにしたものである。
【００１５】
従ってこのような梱包用緩衝装置によれば、保持板と、この保持板の側端の直角に折曲げられる部分の内側に保持される緩衝体とによって梱包用緩衝装置を組立てることが可能になり、少ない数の緩衝体によって効果的に被梱包物を梱包して緩衝することが可能になる。従ってこの緩衝装置の主要原材料である段ボールの使用量が少なくなり、軽量でしかも低コストの梱包用緩衝装置が提供される。また外装箱を省略して梱包の簡略化を図ることが可能になる。
【発明を実施するための最良の形態】
【００１６】
図１および図２は本実施の形態の梱包用緩衝装置の全体の構成を示すものであって、本実施の形態の緩衝装置は、洗面化粧台１０を緩衝しながら梱包して物流に供するためのものである。ここで洗面化粧台１０は、水を流すための凹部を上面に備えたセラミック製の本体１１と、この本体１１を支える直方体状の架台１２とから組合わされて構成される。
【００１７】
このような洗面化粧台１０は図１および図２に示すように、上下一対の保持板１５、１９によって上下から挟着されるようになっている。ここで上側の保持板１５は両側の折曲げ線１６によって側端１７が主面に対して下方に直角に折曲げられるようになっており、折曲げ線１６の内側に左右一対の緩衝体１８を備えている。同様に下側の保持板１９は一対の折曲げ線２０によってその両側端の部分を直角に上方に折曲げるようにしており、折曲げ線２０の内側に緩衝体２２を保持するようにしている。
【００１８】
このように洗面化粧台１０は一対の上側の緩衝体１８を保持する保持板１５と下側の一対の緩衝体２２を保持する保持板１９とによって上下から挟着される。しかもさらに上側には下方が開放された偏平な箱状のカバー２３が装着され、下側には上面が開放された偏平な箱型のカバー２４が装着されるようになっており、このようなカバー２３、２４の外側から上下に結束バンド２５が掛渡され、これによって上下カバー２３、２４、保持板１５、１９が洗面化粧台１０の上下に固定されるようになっている。
【００１９】
次に上側の保持板１５の構成について図３により説明する。保持板１５はその左右両側端から所定の距離を離れた位置にそれぞれ互いに平行な折曲げ線１６を備えるとともに、これらの折曲げ線１６から両側端側に向けてそれぞれ２対の切込み２９を斜めに形成している。なおこれらの切込み２９の終端は折曲げ線３０によって連結されている。そして切込み２９と折曲げ線３０と折曲げ線１６とによって囲まれる領域が係合片３１を構成する。
【００２０】
また上記係合片３１と折曲げ線１６を介して対向するように互いに平行な２対の切込み３３が折曲げ線１６に対して切込み２９と反対側に向けて形成されるとともに、切込み３３の終端が折曲げ線３４になっている。そして切込み３３、折曲げ線３４、および折曲げ線１６によって形成される領域が係止片３５を構成する。そして係合片３１の先端部と係止片３５の先端部であって上記折曲げ線１６と重複される位置が切断線３６に構成され、部分的に連結された部分を破断することによって係合片３１と係止片３５とが互いに分離されるようになっている。
【００２１】
図４はこのような保持板１５によって一対の緩衝体１８を保持した状態を示しており、上記折曲げ線１６によってこの保持板１５の左右両側端をそれぞれ上方に直角に折曲げるとともに、折曲げ線１６の内側に緩衝体１８を装着し、しかも背面側から係合片３１を後述する緩衝体１８の係合用凹部６１に係合させ、さらに係止片３５によって係合片３１を係止することにより、保持板１５に緩衝体１８を取付けた状態で固定するようにしている。
【００２２】
同様に下側の保持板１９についても、図５に示すように、両側の折曲げ線２０によって側端２１を上方に直角に折曲げる。そして折曲げ線２０の内側に左右一対の緩衝体２２を保持させる。ここでもこの保持板１９の折曲げ線２０の部分に形成される係合片３１を緩衝体２２の係合用凹部９１に係合させ、しかも係止片３５によって係合片３１を係止することにより、緩衝体２２を保持板１９に保持して固定させるようにする。
【００２３】
次に上側の保持板１５の折曲げ線１６の内側に保持される緩衝体１８の構成を説明すると、この緩衝体１８は図６に示す段ボール４０を折曲げて組立てられる。段ボール４０は段目の方向に沿って１２枚の板状部４１〜５２を備え、これらの板状部４１〜５２の間に切断線５４が形成される。そしてこれらの切断線５３は部分的に連結部５４によって連結される。連結部５４は切断線５３を遮断する互いに平行な切込みを備え、これらの切込み間の部分が連結されるようになっている。そして板状部４１〜４３にはその側端側に矩形の一対の切込み５８が形成される。また板状部４５〜５２には横長の切込み５９が形成される。これらの切込み５９は板状部４５〜５２にわたって順次その形状が次第に変化するようになっている。
【００２４】
このような段ボール４０を上記切断線５３のところで交互に逆方向に図７に示すように折曲げる。このときに切断線５３の部分は連結部５４によって互いに連結される。また板状部４１〜５２には、互いに接合される位置に予め澱粉糊等の接合手段が塗布されている。従ってこのような段ボール４０を板状部４１〜５２が互いに重合うように折曲げて圧縮すると、図８に示すような緩衝体１８が完成する。
【００２５】
この緩衝体１８は上記板状部４５〜５２に形成される切込み５９によって、外側面に臨むように受け部を構成する凹部６０か形成される。凹部６０が上記洗面化粧台１０の本体１１の湾曲する側端を受けるようになっている。またこのような緩衝体１８は図９に示すように、その背面側であってコーナの部分に、上記板状部４１〜４４の切込み５８によって係合用凹部６１が形成される。係合用凹部６１はその奥の部分の方が側端側の入口よりも幅が広くなっており、上から見ると台形状に形成される。
【００２６】
このような緩衝体１８を保持板１５に保持する際に、図１０に示すように保持板１５の折曲げ線１６の内側に緩衝体１８を装着する。そして保持板１５の係合片３１を折曲げ線３０のところで内側へ折曲げ、緩衝体１８の背面側の係合用凹部６１に係合させる。係合片３１はその形状がほぼ台形であって、上記係合用凹部６１の形状とほぼ一致しているために、この係合用凹部６１に正しく整合される。そしてこの状態で折曲げ線３４のところで係止片３５を内側へ折曲げることによって、係止片３５の先端部が既に内側へ折曲げられている係合片３１の先端側の側部を上から押えることになり、これによって係合片３１による係合をより確実に維持する。なお保持板１５の左側端であって折曲げ線１６の内側には図１０とは対称にもう１つの互いに対称な緩衝体１８が同様の係止構造によって収納保持される（図４参照）。
【００２７】
次に下側の緩衝体２２の構造について説明する。下側の緩衝体２２は図１１に示す段ボール７０を用いて組立てられる。段ボール７０は１２枚の板状部７１〜８２を備え、これらの板状部７１〜８２が連結部８４を有する切断線８５によって順次連結されるようになっている。すなわち切断線８３はその１〜３箇所において部分的に連結部８４によってその両側の板状部７１〜８２を連結している。
【００２８】
板状部７１〜７４にはコ字状をなす小さな切込み８８が一対ずつ形成される。また板状部７６〜８２には横長の切込み８９が形成される。また板状部８２の切込み８９には受け板９４が連結部９５を介して連結される。受け板９４はその先端に係止片９６を備え、この係止片９６が板状部７５の係止孔９７に係止されるように整合される。また板状部８１にはその側端に押え板９８が連結部９９を介して連設されるようになっている。押え板９８はその側端に突部１００を備え、突部１００が板状部７５に形成されている矩形の係止孔１０１によって係止されるように組立てられる。
【００２９】
次に図１１に示す段ボール７０を用いて緩衝体２２を組立てる動作について説明する。図１２に示すように板状部７１〜８２を連結部８４を有する切断線８３のところで互いに逆方向に順次折曲げる。そして予め板状部７１〜８２の接合部に塗布された澱粉糊によって接着して接合する。これによって図１３および図１４に示すような細長い直方体状をなす緩衝体２２が組立てられる。そして上記板状部７６〜８２に形成されている切込み８９によって受け部を構成する凹部９０が形成される。この凹部９０が上記洗面化粧台１０の架台１２の下面のコーナの稜線部分を受入れる。なお板状部８２の受け板９４が連結部９５によって凹部９０の上面に折曲げられるとともに、先端側の係止片９６が板状部７５の係止孔９７に係止される。さらに凹部９０の側部に位置する押え板９８が連結部９９のところで側方に折曲げられるとともに、先端側の突部１００が板状部７５の係止孔１０１に係止される。
【００３０】
またこのような緩衝体２０には図１４に示すように、その背面側に、上記板状部７１〜７４のコ字状の切込み８８によって係合用凹部９１が形成される。この係合用凹部９１には図１５に示すように、保持板１９の係合片３１が折曲げ線３０のところで折曲げられて係合される。係合片３１はほぼ台形状をなし、奥の方が広くなっている係合用凹部９１とほぼ整合する形状になっている。そして係合片３１を内側に折込んだならば、この後に係止片３５を折曲げ線３４のところで内側へ折曲げ、これによって係止片３５が係合片３１の先端部を側方から押える。これによって係合片３１が係合部９１に確実に係合した状態に維持されるようになり、緩衝体２２が保持板１９の折曲げ線２０の内側の部分に確実に保持され、脱落することがない。
【００３１】
このように本実施の形態の梱包用緩衝装置は、上側の保持板１５の折曲げ線１６の内側に左右一対の緩衝体１８を保持し、下側の保持板１９の折曲げ線２０の内側に左右一対の緩衝体２２を保持する。そしてこれらの保持板１５、１９を図１および図２に示すように、洗面化粧台１０の上下に装着する。ここで上側の保持板１５にに取付けられる緩衝体１８の受け部６０が洗面化粧台１０の本体１１の上側縁の湾曲した部分を受入れる。また下側の保持板１９に取付けられている緩衝体２２が洗面化粧台１０の架台１２の下端の稜線部分を受入れることになる。このような状態において、上下から上側カバー２３と下側カバー２４とを装着し、しかも結束バンド２５によって上記上側カバー２３および下側カバー２４の外側から結束する。このような状態において洗面化粧台１０は物流に供されることになる。
【００３２】
このような梱包用緩衝装置によれば、物流に供される洗面化粧台１０に対して外部から衝撃が加わっても、衝撃は上下の保持板１５、１９に保持されている緩衝体１８、２２によって緩衝され、洗面化粧台１０を衝撃から保護することが可能になる。しかも洗面化粧台１０は上下のカバー２３、２４を装着した状態で結束バンド２５によって結束された状態で物流に供されるために、外装箱を必要とせず、これによって梱包のためのコストを大幅に低減できるようになる。またこのような梱包形態は、段ボールから成る４つの緩衝体１８、２２を主たる構成体とするものであって、包装用梱包装置の構成部材が非常に少なくなり、梱包の大幅な合理化が可能になる。
【００３３】
以上本願発明を図示の実施の形態によって説明したが、本願発明は上記実施の形態によって限定されることなく、本願に含まれる発明の技術的思想の範囲内で各種の変更が可能である。例えば上記実施の形態は洗面化粧台１０の梱包用緩衝装置に関するものであるが、本願発明はその他の各種の物品のための梱包用緩衝装置に広く適用可能である。また梱包される物品の形状や寸法に応じて、緩衝体１８、２２の構成や、その受け部６０、９０の構造についても任意に変更可能である。
【産業上の利用可能性】
【００３４】
本願発明は各種の物品の梱包用緩衝装置に広く利用可能である。
【図面の簡単な説明】
【００３５】
【図１】梱包用緩衝装置の全体の構成を示す分解斜視図である。
【図２】同梱包装置の縦断面図である。
【図３】上側の保持板の展開平面図である。
【図４】上側の保持板と緩衝体との組立てを示す斜視図である。
【図５】下側の保持板と緩衝体との組立てを示す斜視図である。
【図６】上側の緩衝体を組立てるための段ボールの展開平面図である。
【図７】同段ボールによる上側緩衝体の組立て動作を示す外観斜視図である。
【図８】組立てられた緩衝体の外観斜視図である。
【図９】同緩衝体の反対側から見た斜視図である。
【図１０】緩衝体と保持板との結合構造を示す要部拡大縦断面図である。
【図１１】下側緩衝体を構成する段ボールの展開平面図である。
【図１２】同緩衝体の組立て動作を示す外観斜視図である。
【図１３】組立てられた緩衝体の外観斜視図である。
【図１４】この緩衝体を反対側から見たときの斜視図である。
【図１５】同緩衝体と保持板との結合構造を示す要部拡大断面図である。
【符号の説明】
【００３６】
１０  洗面化粧台
１１  本体
１２  架台
１５  保持板（上）
１６  折曲げ線
１７  側端
１８  緩衝体（上）
１９  保持板（下）
２０  折曲げ線
２１  側端
２２  緩衝体（下）
２３  上側カバー
２４  下側カバー
２５  結束バンド
２９  切込み
３０  折曲げ線
３１  係合片
３３  切込み
３４  折曲げ線
３５  係止片
３６  切断線
４０  段ボール
４１〜５２  板状部
５３  切断線
５４  連結部
５８、５９  切込み
６０  凹部（受け部）
６１  係合用凹部
７０  段ボール
７１〜８２  板状部
８３  切断線
８４  連結部
８８、８９  切込み
９０  凹部（受け部）
９１  係合用凹部
９４  受け板
９５  連結部
９６  係止片
９７  係止孔
９８  押え板
９９  連結部
１００  突部
１０１  係止孔
【図１】
2006056532.tif 000003
【図２】
2006056532.tif 000004
【図３】
2006056532.tif 000005
【図４】
2006056532.tif 000006
【図５】
2006056532.tif 000007
【図６】
2006056532.tif 000008
【図７】
2006056532.tif 000009
【図８】
2006056532.tif 000010
【図９】
2006056532.tif 000011
【図１０】
2006056532.tif 000012
【図１１】
2006056532.tif 000013
【図１２】
2006056532.tif 000014
【図１３】
2006056532.tif 000015
【図１４】
2006056532.tif 000016
【図１５】
2006056532.tif 000017